(57)【特許請求の範囲】
【請求項１】
エアーフィルターとエアーフィルター上を左右に駆動する吸引ノズルと吸引ノズルに連通された吸引装置により構成されるエアーフィルター清掃装置を具備する空気調和機において、吸引ノズルは、ノズルに設けた開口部と開口部を覆いつつ開口部に沿って駆動可能なベルトを有し、ベルトには吸引口が設けられると共に、吸引口のベルト駆動方向端部にノズル内部への折り返し部を設けたことを特徴とする空気調和機のフィルター装置。
【請求項２】
折り返し部は、ベルトと同一の材質で、吸引口端部を切り欠いて折り返したことを特徴とする請求項１記載の空気調和機のフィルター装置。
【請求項３】
折り返し部は、Ｌ字型折り返し部材をベルトに接合したことを特徴とする請求項１記載の空気調和機のフィルター装置。
【請求項４】
折り返し部は、ベルトよりも硬い特性を有する第２のＬ字型折り返し部材をベルトに接合したことを特徴とする請求項１記載の空気調和機のフィルター装置。
【請求項５】
折り返し部は、吸引口の左右方向長さよりも長い第３のＬ字型折り返し部材をベルトに接合したことを特徴とする請求項１または４に記載の空気調和機のフィルター装置。
【発明の詳細な説明】
【技術分野】
【０００１】
本発明は、フィルターの清掃を自動的に行うようにした空気調和機のフィルター装置に関するものである。
【背景技術】
【０００２】
従来、この種の空気調和機のフィルター装置は、小さい吸引口を開けた駆動可能なベルトを吸引ノズルに設け、このベルトを移動することで吸引する場所を可変させると共に、吸引ノズルの動作と合わせてエアーフィルター上をスイープ動作させることで、エアーフィルター全域を掃除している（例えば、特許文献１参照）。
【０００３】
図９は、特許文献１に記載された従来の空気調和機のフィルター装置を示すものである。図９に示すように、吸引ノズル１０８は、吸引口１１１を設けたベルト１０９と、ベルトを駆動するスッテンピングモーターから構成されている。
【特許文献１】特開２００５−６１７４２号公報
【発明の開示】
【発明が解決しようとする課題】
【０００４】
しかしながら、前記従来の構成では、ノズルに設けた小さな吸引口から吸引装置により、エアーフィルター上に付着している塵埃を吸引するが、この時、吸引された塵埃の一部が吸引口と反対側のノズル内部に付着堆積し、吸引抵抗が大きくなるという課題を有していた。
【０００５】
本発明は、前記従来の課題を解決するもので、吸引口より吸引された塵埃の一部が吸引ノズル内部に付着堆積することを抑制し、吸引抵抗の増大を防止した空気調和機のフィルター装置を提供することを目的とする。
【課題を解決するための手段】
【０００６】
前記従来の課題を解決するために、本発明の空気調和機のフィルター装置は、吸引ノズルに設けた開口部と開口部を覆いつつ開口部に沿って駆動可能なベルトを有し、ベルトには吸引口を設け、さらに吸引口のベルト駆動方向端部にノズル内部への折り返し部を設けたものである。
【０００７】
これによって、吸引口から吸引された塵埃の一部が吸引ノズル内部に付着した場合でも、ベルトを駆動することにより、ベルトに設けた折り返し部がこの付着した塵埃を剥がし取っていくために、吸引ノズル内部での塵埃の付着堆積現象を防止することができる。
【発明の効果】
【０００８】
本発明の空気調和機のフィルター装置は、吸引口より吸引された塵埃の一部が吸引ノズル内部に付着堆積することを抑制し、これによって、吸引口および吸引ノズル内部における吸引抵抗の増大を防止することができる。
【発明を実施するための最良の形態】
【０００９】
第１の発明は、エアーフィルターとエアーフィルター上を左右に駆動する吸引ノズルと吸引ノズルに連通された吸引装置により構成されるエアーフィルター清掃装置を具備する空気調和機において、吸引ノズルは、ノズルに設けた開口部と開口部を覆いつつ開口部に沿って駆動可能なベルトを有し、ベルトには吸引口が設けられると共に、吸引口のベルト駆動方向端部にノズル内部への折り返し部を設けたもので、この構成により、吸引口より
吸引された塵埃の一部が吸引ノズル内部に付着堆積することを抑制し、吸引口における吸引抵抗の増大を防止することができる。
【００１０】
第２の発明は、特に、第１の発明の折り返し部をベルトと同一の材質で、吸引口端部を切り欠いて折り返したことにより、簡単な構成・工法により、折り返し部を実現することができる。
【００１１】
第３の発明は、特に、第１の発明の折り返し部を、Ｌ字型折り返し部材をベルトに接合したことにより、折り返し部の形状や材質の自由度を高め、様々な塵埃の付着堆積現象へ対応することができる。
【００１２】
第４の発明は、特に、第１の発明の折り返し部を、ベルトよりも硬い特性を有する第２のＬ字型折り返し部材をベルトに接合したことにより、様々な特性を有する塵埃の付着堆積現象へ対応することができる。
【００１３】
第５の発明は、特に、第１または第４の発明の折り返し部を、吸引口の左右方向長さよりも長い第３のＬ字型折り返し部材をベルトに接合したことにより、吸引口の部分だけでなくノズル内部の広範囲な部分にわたって、塵埃の付着堆積現象を防止することができる。
【００１４】
以下、本発明の実施の形態について、図面を参照しながら説明する。なお、この実施の形態によって本発明が限定されるものではない。
【００１５】
（実施の形態１）
図１〜図３は、本発明の第１の実施の形態における空気調和機のフィルター装置を示すものである。
【００１６】
図１において、熱交換器を通過する空気の塵埃を除去するエアフィルター１は、フィルター枠２に取り付けられ、エアフィルター１の表面に沿って左右に移動可能な吸引ノズル３が設けられる。吸引ノズル３は左右駆動装置８とフィルター枠２の上下端に設置されたガイドレール４により、エアフィルター１と狭い間隙を保って円滑に左右に移動することができる。吸引ノズル３には吸引ダクト５が連結され、さらに吸引ダクト５は吸引装置６に連結される。吸引ダクト５は吸引ノズル３の移動に差し支えないように折り曲げ可能なダクトで形成される。さらに、吸引装置６には排気ダクト７が連結され、室外へ引き回される。エアーフィルター１に付着した塵埃は、吸引ノズル３により吸引され、吸引ダクト５、吸引装置６、排気ダクト７を経由して室外へ排出される。
【００１７】
図２において、吸引ノズル３にはエアフィルター全長に相当する長いスリット状の開口部１１を設け、この開口部１１に沿って駆動可能なベルト１２に吸引孔１３を設けることで開口部１１の一部分のみから吸引でき、かつ、ベルト１２を駆動して吸引する場所を可変することができるようにしている。また、ベルト１２は吸引ノズル本体１０に沿わせるため、吸引ノズル本体１０と一体で形成された（溶着や接着によって一体に形成される）ベルトガイド１４によってガイドされており、ベルト１２のガイドを行なうとともに吸引孔１３以外の部分で吸引漏れが発生するのを抑制している。
【００１８】
図３に示すように、吸引口１３には吸引ノズル本体１０の内部側に向かって折り返し部１６が設けられている。この折り返し部１６の長さは、図２に示すように吸引ノズル本体１０の反対側Ｂ部の近傍まで、あるいは接触する程度で、吸引ノズル本体１０内部に付着堆積した塵埃を掻き取るのに必要な長さがあればよい。ここで、折り返し部１６は、ベルト１２を用いて吸引口１３を加工する際に、吸引口１３端部を切り欠いて折り返し成形し
たものである。
【００１９】
また、ベルト１２の表面には、吸引孔１３の横にスポンジやＥＰＴ（エチレンプロピレンゴム）のような発泡材より構成されるブラシ１５が固着されており、ベルト１２の駆動により吸引孔１３とともにブラシ１５の位置も可変できるようにしている。
【００２０】
以上のように構成された空気調和機のフィルター装置について、以下その動作、作用を説明する。
【００２１】
エアフィルター１の清掃は、図４に示すように吸引ノズル３をエアフィルター１に沿って左右に駆動するとともに、ベルト１２を上下に駆動して吸引口１３の位置を変えることで吸引口１３を図中の矢印に示すようなスイープ動作させて全面を清掃することができる。なお、吸引口１３のスイープ動作はフィルター全面を清掃する方法であれば順送りだけでなく、梳き刈り送りなどのような方法でもよい。
【００２２】
図５は、エアーフィルター１に捕集された塵埃を吸引する様子を模式的に示したものである。エアーフィルター１に捕集された塵埃は、ベルト１２の吸引口１３より吸引され、吸引ノズル本体１０の内部に移動する。このとき、大部分の塵埃は吸引装置６により、吸引ノズル３、吸引ダクト５を経由して室外へ排出されるが、一部の塵埃は、衝突作用により吸引口１３に対向する吸引ノズル本体１０内部のＢ部に付着堆積する。
【００２３】
図６は、ベルト１２の駆動と吸引ノズル本体１０内部への塵埃の付着、除去の様子を模式的に示したものである。（ａ）から（ｂ）へとベルト１２が右方向（図６において）に駆動する場合、Ｃ部、Ｄ部に示すように吸引された塵埃の一部が吸引ノズル本体１０内部に付着堆積する。次に、（ｃ）のようにベルト１２が左方向に駆動する場合、Ｅ部に示すように、吸引口１３に設けた折り返し部１６が付着堆積した塵埃を掻き取っていく。このように、エアーフィルター１に捕集された塵埃を吸引していく際に、一時的に、吸引ノズル本体１０内部に塵埃が付着することはあるが、吸引口１３のスイープ動作により吸引口１３に設けられた折り返し部１６が付着した塵埃を掻き取っていくために、塵埃の付着が成長することはない。
【００２４】
また、本実施の形態の折り返し部１６を、図７に示すように、ベルト１２とは別の部品であるＬ字型折り返し部材１７をベルト１２に接合することにより、吸引ノズル本体１０内部への塵埃の付着を防止することができる。
【００２５】
また、本実施の形態の折り返し部１６を、ベルト１２とは別の部品で、ベルトよりも硬い材料特性を有する第２のＬ字型折り返し部材（図示せず）をベルト１２に接合することにより、吸引ノズル本体１０内部へ強固に付着した塵埃も剥がし取ることができる。
【００２６】
（実施の形態２）
図８は本発明の第２の実施の形態における空気調和機のフィルター装置の吸引口１３付近の構造を示すものである。吸引ノズル自体の基本的な構造は実施の形態１と同じなので説明を省略する。本実施の形態では、実施の形態１と異なり、図８に示すように折り返し部１６を、ベルト１２とは別の部品で、吸引口１３の左右駆動方向長さよりも長い第３のＬ字型折り返し部材１８をベルト１２に接合したものである。ここで、第３のＬ字型折り返し部材１８は、ベルト１２と同一の材質あるいは異種の材質でベルト１２よりも硬い材質である。
【００２７】
吸引口１３から吸引された塵埃は、主に吸引口１３に対向する吸引ノズル本体１０内部に主に付着するが、場合によっては、吸引ノズル本体１０内部の全体に渡って付着する。
このとき、吸引口１３の左右駆動方向長さよりも長い第３のＬ字型折り返し部材１８をベルト１２に接合することにより、吸引ノズル本体１０内部の全体に付着堆積した塵埃を剥がし取ることができる。
【産業上の利用可能性】
【００２８】
以上のように、本発明の空気調和機のフィルター装置は、エアーフィルターとエアーフィルター上を左右に駆動する吸引ノズルと吸引ノズルに連通された吸引装置により構成され、吸引ノズルは、ノズルに設けた開口部と開口部を覆いつつ開口部に沿って駆動するベルトを有し、ベルトには吸引口と、吸引口のベルト駆動方向端部にノズル内部への折り返し部を設けたもので、この構成により、吸引口から吸引された塵埃の一部が吸引ノズル内部に付着した場合でも、ベルトを駆動することにより、ベルトの設けた折り返し部が、この付着した塵埃を剥がし取っていくために、吸引ノズル内部での塵埃の付着堆積現象を防止し、吸引口および吸引ノズル内部における吸引抵抗の増大を防止することができるため、清掃装置のメンテナンスを不用にすることができ、家庭用や業務用の空気調和機や空気清浄機など塵埃を捕集するエアーフィルターを備えた各種装置のフィルター自動清掃の用途に適用できる。
【図面の簡単な説明】
【００２９】
【図１】本発明の実施の形態１における空気調和機のフィルター装置図
【図２】本発明の実施の形態１における吸引ノズルの斜視図
【図３】本発明の実施の形態１における吸引口の模式図
【図４】本発明の実施の形態１における吸引ノズルの清掃動作図
【図５】本発明の実施の形態１における清掃時の吸引ノズルの断面模式図
【図６】本発明の実施の形態１における清掃時のベルト駆動に伴う吸引ノズルの断面模式図
【図７】本発明の実施の形態１における吸引口の模式図
【図８】本発明の実施の形態２における吸引口の模式図
【図９】従来の空気調和機のフィルター装置図
【符号の説明】
【００３０】
１  エアーフィルター
３  吸引ノズル
６  吸引装置
１１  開口部
１２  ベルト
１３  吸引口
１６  折り返し部
１７  Ｌ字型折り返し部材
１８  第３のＬ字型折り返し部材
【図１】
0004725407.tif 000002
【図２】
0004725407.tif 000003
【図３】
0004725407.tif 000004
【図４】
0004725407.tif 000005
【図５】
0004725407.tif 000006
【図６】
0004725407.tif 000007
【図７】
0004725407.tif 000008
【図８】
0004725407.tif 000009
【図９】
0004725407.tif 000010